(57)【要約】【課題】室内側で火災が発生の際に、戸先側におけるドア本体の下端部とドア枠との間の隙間が有効に閉塞され、もって延焼を防止しうる構成のドアを提供する。【解決手段】縦枠および横枠により構成された矩形のドア枠内に、ドア本体２を開閉可能に取付ける。ドア本体２の底面の室内側寄りの部分に、シート状の加熱発泡材２８を固着する。加熱発泡材２８の下面に、下方への発泡を防止するシート状の発泡規制材２９を重ねて固着する。【選択図】図７
2015178715.tif 000002
【特許請求の範囲】
【請求項１】
縦枠および横枠により構成された矩形のドア枠内に、ドア本体を開閉可能に取付けてなるドアにおいて、
前記ドア本体の底面の少なくとも室内側に熱によって膨張する耐火材を設け、
前記耐火材の下面の少なくとも戸先側に、発泡規制材を設けたことを特徴とするドア。
【請求項２】
請求項１に記載のドアにおいて、
前記発泡規制材として、熱によって膨張する耐火材を用いたことを特徴とするドア。
【請求項３】
請求項１または２に記載のドアにおいて、
前記ドア本体の底面における戸先側端部に、ドア枠を構成する戸先側縦枠の見込み面側への発泡を抑制する部品を設けたことを特徴とするドア。
【発明の詳細な説明】
【技術分野】
【０００１】
本発明は、アパートや一般住宅等に用いられるドアに関する。
【背景技術】
【０００２】
アパートや一般住宅等に用いられるドアとして、防火性能を高めるため、特許文献１に記載のように、戸体の内部に断熱材や芯材を配置したものがある。
【先行技術文献】
【特許文献】
【０００３】
【特許文献１】登録実用新案第３００３７０９号公報
【発明の概要】
【発明が解決しようとする課題】
【０００４】
しかしながら、前記従来のドアの場合、ドア本体の戸先側は上下方向の中央部分は錠により固定されているから、室内側から出火した場合、ドア本体の戸先側ではドア本体の上下部分が外側に反り、ドア枠との間に隙間が生じる。その結果、この隙間部分から火炎や熱気が室外側に吹き出し、延焼を生じやすくなる。
【０００５】
本発明は、上記問題点に鑑み、室内側で火災が発生の際に、戸先側におけるドア本体の下端部とドア枠との間の隙間が有効に閉塞され、もって延焼を防止しうる構成のドアを提供することを目的とする。
【課題を解決するための手段】
【０００６】
請求項１のドアは、縦枠および横枠により構成された矩形のドア枠内に、ドア本体を開閉可能に取付けてなるドアにおいて、
前記ドア本体の底面の少なくとも室内側に熱によって膨張する耐火材を設け、
前記耐火材の下面の少なくとも戸先側に、発泡規制材を設けたことを特徴とする。
【０００７】
請求項２のドアは、請求項１に記載のドアにおいて、
前記発泡規制材として、熱によって膨張する耐火材を用いたことを特徴とする。
【０００８】
請求項３のドアは、請求項１または２に記載のドアにおいて、
前記ドア本体の底面における戸先側端部に、ドア枠を構成する戸先側縦枠の見込み面側への発泡を抑制する部品を設けたことを特徴とする。
【発明の効果】
【０００９】
請求項１の発明によれば、熱によって膨張する耐火材の発泡方向を発泡規制材によって規制し、戸先側のドア本体の下辺部とドア枠の下枠との間の隙間をより有効に閉塞することができる。
【００１０】
請求項２の発明によれば、発泡規制材として熱によって膨張する耐火材を用いたので、発泡規制材として用いる耐火材も発泡して隙間閉塞に寄与するので、延焼がより有効に防止される。
【００１１】
請求項３の発明によれば、戸先側において、縦枠の見込み面側への発泡が規制されるため、ドア本体の底辺と下枠との間の隙間閉塞の目的で設けた熱によって膨張する耐火材が隙間閉塞に有効に利用され、より有効に延焼が防止される。
【図面の簡単な説明】
【００１２】
【図１】本発明のドアの一実施の形態を室内側から見た図である。
【図２】図１のドアの縦断面図である。
【図３】図１のドアの横断面図である。
【図４】本実施の形態のドア本体の枢着部を示す縦断面図である。
【図５】本実施の形態のドア本体の底面図である。
【図６】本実施の形態において、ドア本体と下枠側気密材との当接構造を示す縦断面図である。
【図７】本実施の形態のドア本体の戸先側下部構造を示す斜視図である。
【図８】図５のＥ−Ｅ拡大断面図である。
【図９】本実施の形態で用いるキャップを示す斜視図である。
【図１０】本実施の形態における火災発生時の反りと加熱発泡材の発泡状態を示す縦断面図である。
【図１１】本実施の形態における火災発生時の反りと加熱発泡材の発泡状態を示す横断面図である。
【発明を実施するための形態】
【００１３】
図１は本発明のドアの一実施の形態を室内側から見た図、図２、図３はそれぞれ図１のドアの縦断面図および横断面図である。図１ないし図３において、１はドア枠、２はドア枠１内に取付けられるドア本体である。ドア枠１は、アルミニウム合金等の金属製押出形材でなる吊元側縦枠３と戸先側縦枠４と上側の横枠（上枠）５と下側の横枠（下枠）６とをタッピングねじ(図示せず)により組み合わせて矩形に構成する。本実施の形態においては、縦枠３，４および上枠５は室外側部材３ａ，４ａ，５ａと室内側部材３ｂ，４ｂ，５ｂとの間をゴム等の断熱性のブリッジ材３ｃ，４ｃ，５ｃとでそれぞれ結合し、下枠６も室内側の表面を合成樹脂材表面材６ａで覆うことにより、断熱性を高めている。
【００１４】
図１において、７はドア本体２の戸先側に設けた開閉用ハンドル、８ａ，８ｂは上下のシリンダー錠である。
【００１５】
本実施の形態のドア本体２は、例えば鋼等でなる内側表面板１０および外側表面板１１との間にパネル状の断熱材１２を挟み、断熱材１２を内側表面板１０と外側表面板１１に接着して構成している。なお、内側表面板１０と外側表面板１１はその各両側部、上端部、下端部をそれぞれＬ字形に折り曲げ、各Ｌ字形の折曲げ端部を突き合わせてボックス状に構成している。断熱材１２には例えば発泡ポリスチレン等の発泡材や水酸化アルミニウムコア等を用いる。１４は縦枠３，４、上枠５および下枠６に取付けられた気密材であり、ドア本体２の周囲の室内側の面を当接させて気密性を保つものである。
【００１６】
図４は本実施の形態のドア本体２の枢着部を示す縦断面図である。図４に示すように、ドア本体２の吊元側には例えば鋼等でなる芯材１５をドア本体２の上下全長にわたって設け、内側表面板１０または外側表面板１１の少なくともいずれか一方にリベット１６により固定する。芯材１５の上下端部には枢着用のプレート１７，１８を例えばねじ等により固定する。下枠６の吊元側縦枠３側には枢着軸１９を取付け、その枢着軸１９を、筒状スペーサ２０と、プレート１８に設けた枢着孔１８ａに回動可能に嵌合する。また、芯材１５の上面に例えばねじなどで固定したプレート１７には上方に突出させて枢着軸２１を設ける。一方、上枠５の吊元側縦枠３側には鋼等でなる軸受部材２２を設け、この軸受部材２２に枢着孔２２ａを設ける。そして枢着軸２１を軸受部材２２の枢着孔２２ａに回動可能に嵌合する。これにより、ドア本体２をドア枠１に開閉可能に取付ける。なお、ドア本体２をドア枠１に枢着する手段として蝶番を用いてもよい。
【００１７】
図３において、２４はドア本体２の戸先側芯材、１０ａはこの芯材２４の部分を覆うために内側表面板１０の戸先側端部を曲成して形成したカバー部、２５はこのカバー部１０ａにおける室外側部分に縦方向に固着したシート状の加熱発泡材、２６は戸先側縦枠４の見込み面４ｄに縦方向に固着したシート状の加熱発泡材である。
【００１８】
図５はドア本体２の底面図、図６はドア本体２の下端部における気密材１４との当接構造を示す縦断面図、図７は戸先側の下部構造を示す斜視図、図８は図５のＥ−Ｅ拡大断面図、図９は本実施の形態で用いるキャップを示す斜視図である。
【００１９】
図５ないし図８において、２８はドア本体２の底面の室内側寄りに熱によって膨張する耐火材として設けたシート状の加熱発泡材であり、本実施の形態においては、図５に示すように、この加熱発泡材２８はドア本体２の前記プレート１８の部分を除いた部分のほぼ全長にわたって設けている。本実施の形態においては、この加熱発泡材２８はドア本体２の室内外方向の厚みの約半分の幅を有し、ドア本体２の底面の室内側寄りに設けているが、この加熱発泡材２８は、ドア本体２の室内外方向の厚みと同じかあるいはそれに近い幅としてもよい。また、この加熱発泡材２８の長さは、ドア本体２の底面の全幅に近いのではなく、例えばドア本体２の左右の幅の約半分以上として、戸先側縦枠４寄りに取付ければ、後述の反りに対応できる。
【００２０】
２９はこの加熱発泡材２８の下面を覆うように、両面テープ３０ａ（図６、図８参照）を介して固着した発泡規制材である。本実施の形態においては、この発泡規制材２９としても加熱発泡材を用い、この発泡規制材２９をドア本体２の戸先寄りの部分に、ドア本体２のほぼ半分の幅にわたって設けているが、この発泡規制材２９のドア本体２の左右方向の幅も、ドア本体２の左右方向の幅の例えば３分の１以上として、戸先側縦枠４側寄りに設けてもよい。
【００２１】
図８に示すように、加熱発泡材２８および発泡規制材２９は、両面テープ３０ｂおよびリベット等の固定具３２により、内側表面板１０の曲成された底板部１０ｂと共にドア本体２の下側の芯材３３に固定する。図５、図７において、３４は外側表面板１１の曲成された底板部１１ａを芯材３３に固定するリベット等の固定具である。
【００２２】
３６はドア本体２の底面における戸先側端部に取付ける部品として設けたキャップである。このキャップ３６は、加熱発泡材２８がドア枠１を構成する戸先側縦枠４の見込み面４ｄ側へ発泡することを抑制するものである。なお、本実施の形態においては、後述のように、このキャップ３６は加熱発泡材２８が室外側に向けて発泡することを抑制する手段も備えている。このキャップ３６は合成樹脂成形品であり、図９に示すように、中央部に立上げして形成された取付け部３６ａを有し、この取付け部３６ａに貫通孔３６ｂを有する。また、キャップ３６の室外側の上面に溝部３６ｃを有する。この溝部３６ｃは、芯材２４の室外側部分を挟持する外側表面板１１の曲成部１１ｂを嵌めるものである。３６ｄは、内側表面板１０のカバー部１０ａを囲う立上げ壁である。また、キャップ３６の室内側に、加熱発泡材２８および発泡規制材２９を載せる平面部３６ｅと、加熱発泡材２８および発泡規制材２９の室外側の縁を当接させて発泡方向を規制する壁部３６ｆを有する。
【００２３】
このキャップ３６は、図８に示すように、ドア本体２の戸先側に下側から当て、溝部３６ｃを、外側表面板１１の芯材挟持用曲成部１１ｂに嵌め、内側表面板１０のカバー部１０ａを取付け部３６ａと立上げ壁３６ｄとの間で挟み、平面部３６ｅを発泡規制材２９の下面の戸先側端部に当て、取付けねじ３７をカバー部１０ａの貫通孔１０ｃ、キャップ３６の立上げ部３６ａの貫通孔３６ｂに挿通して芯材２４のねじ孔２４ａに螺入することにより、ドア本体２の底面における戸先側端部に取付ける。
【００２４】
このドアにおいて、室内側で出火してドア本体２の室内側が火炎や熱気によりあおられた場合、内側表面板１０から加熱され、ドア本体２は室内側に膨出するように反り、その結果、ドア本体２の下端側は図１０の矢印３８に示すように室外側に反り、ドア本体２の下端部と下枠６との間の隙間が拡大する。一方、火災によって内側表面板１０を介して加熱発泡材２８に伝熱され、加熱発泡材２８が加熱されて発泡する。この際、加熱発泡材２８の底面は発泡規制材２９により覆われており、発泡規制材２９の温度上昇は加熱発泡材２８より遅れるため、加熱発泡材２８のみがまず発泡し、下枠６とドア本体２の底面の間を閉塞する。この時、加熱発泡材２８の下方への発泡は、発泡規制材２９により規制される。
【００２５】
また、最初の発泡は温度の高い室内側から始まると共に、ドア本体２の戸先側では、加熱発泡材２８の室外側はキャップ３６の壁部３６ｆに対面しているので、室外側への発泡が防止され、加熱発泡材２８は室内側に向けて集中的に発泡する。このため、ドア本体２の下端部とドア枠１の下枠６との間の隙間が発泡後の加熱発泡材２８により有効に閉塞され、延焼が防止される。
【００２６】
本実施の形態においては、加熱発泡材２８が縦枠４の見込み面４ｄ側に向けて発泡することがキャップ３６により抑制されるため、加熱発泡材２８の発泡方向がさらに室内側に集中し、ドア本体２と下枠６との間の隙間がより確実に閉塞される。さらに、この実施の形態のキャップ３６は、加熱発泡材２８の室外側の縁を当てる壁部３６ｆを有しているので、ドア本体２の戸先側において、加熱発泡材２８の室外側への発泡が確実に規制され、ドア本体２の下辺部とドア枠１の下枠６との間の隙間が発泡後の加熱発泡材２８により有効に閉塞される。また、加熱発泡材２８や発泡規制材２９はドア本体２の下面に固着しているので、居住者が加熱発泡材２８や発泡規制材２９を踏みつけて破損する等の問題も生じない。
【００２７】
また、本実施の形態においては、ドア本体２の戸先側端部と縦枠４の見込み面４ｄにそれぞれ加熱発泡材２５，２６を取付けているので、図１１に示すように、これらが発泡することにより、ドア本体２の戸先側端部と縦枠４の見込み面４ｄとの間の隙間も閉塞される。
【００２８】
加熱発泡材２８の発泡の向きを規制する発泡規制材２９としては、例えば金属板や加熱発泡材２８の発泡温度では溶融しない合成樹脂等を用いてもよいが、本実施の形態においては、発泡規制材２９として加熱発泡材を用いているので、発泡規制材として同種の材料を用いることが可能になり、経済的に構成できると共に、最終的には発泡規制材２９として用いる加熱発泡材も発泡して隙間閉塞に寄与するので、延焼がより有効に防止される。なお、本実施の形態において、発泡規制材２９として用いる加熱発泡材としては、同じ材質のものを用いてもよく、また、同じ材質ではなく、発泡規制材２９側の加熱発泡材の発泡温度を高くしてもよい。
【００２９】
なお、室内側において火災が発生した場合、ドア本体２の吊元側は、上下端部が枢着軸１９，２１によりドア枠１に固定されているので、ドア本体２の吊元側の上下方向の中央部が室内側に反った際には、この吊元側は吊元側縦枠３に圧接され、隙間発生の問題は発生しない。また、ドア本体２の戸先側の上端部の外側への反り発生により生じる隙間閉塞のためには、上枠５あるいはドア本体２の上面に加熱発泡材を取付ければよく、上枠５あるいはドア本体２の上面に加熱発泡材を取付けても、居住者等による加熱発泡材の踏みつけの問題も生じない。また、室外側で発生する火災の場合、戸先側においては、上下方向の中央側がハンドル７のラッチ錠によりドア枠１に固定されているので、ドア本体２の上下端は縦枠４の上下端部に押し付けられるため、隙間発生の問題は生じない。
【００３０】
以上本発明を実施の形態により説明したが、本発明を実施する場合、加熱発泡材２８の室外側への発泡を規制する部材として、キャップ３６以外の部材をドア本体２の下面における加熱発泡材２８の室外側に設けてもよく、さらに発泡規制材２９に加熱発泡材２８の室外側縁に当てる部分を設けてもよい。その他、本発明の要旨を逸脱しない範囲において、構成部材やその組み合わせについて、種々の変更、付加が可能である。
【符号の説明】
【００３１】
１：ドア枠、２：ドア本体、３：吊元側縦枠、４：戸先側縦枠、５：上枠、６：下枠、７：ハンドル、８ａ，８ｂ：シリンダー錠、１０：内側表面板、１１：外側表面板、１２：断熱材、１９，２１：枢着軸、２４：戸先側芯材、２８：耐火材（加熱発泡材）、２９：発泡規制材（加熱発泡材）、３０ａ，３０ｂ：両面テープ、３２：固定具、３３：芯材、３４：固定具、３６：キャップ、３７：取付けねじ
【図１】
2015178715.tif 000003
【図２】
2015178715.tif 000004
【図３】
2015178715.tif 000005
【図４】
2015178715.tif 000006
【図５】
2015178715.tif 000007
【図６】
2015178715.tif 000008
【図７】
2015178715.tif 000009
【図８】
2015178715.tif 000010
【図９】
2015178715.tif 000011
【図１０】
2015178715.tif 000012
【図１１】
2015178715.tif 000013